(57)【要約】【課題】この発明の目的は、記録可能ディスクを再生専用機で再生できるように記録可能ディスクにも関わらず再生専用ディスクとして認識させること。【解決手段】リードイン領域記憶される物理フォーマット情報はブックタイプに拠らない共通の第１の情報と、ブックタイプに固有の第２の情報と、第２の情報毎に固有の第３の情報とを具備し、第１の情報はブックタイプとバージョン番号とを示すバイト情報を具備し、第２の情報はリビジョン番号のメジャー桁とディスクインジケータとを示すバイト情報を具備する。【選択図】  図１２
2011138619.tif 000002
【特許請求の範囲】
【請求項１】
リードイン領域と、前記リードイン領域の外側に配置される第１のデータ領域を有する第１層と、
第２のデータ領域と、前記第２のデータ領域の内側に配置されるリードアウト領域とを有する第２層と、を具備し、
前記第１層の前記リードイン領域と前記第２層の前記リードアウト領域の半径方向寸法が重なり、
前記第１層の前記リードイン領域は、記録マークの極性情報を格納する領域と、媒体の種別毎のライトストラテジ情報を格納する領域とを有し、
前記ライトストラテジ情報はピークパワーと複数のバイアスパワーを含むことを特徴とする情報記憶媒体。
【請求項２】
リードイン領域と、前記リードイン領域の外側に配置される第１のデータ領域を有する第１層と、
第２のデータ領域と、前記第２のデータ領域の内側に配置されるリードアウト領域とを有する第２層と、を具備し、
前記第１層の前記リードイン領域と前記第２層の前記リードアウト領域の半径方向寸法が重なり、
前記第１層の前記リードイン領域は、記録マークの極性情報を格納する領域と、媒体の種別毎のライトストラテジ情報を格納する領域とを有し、
前記ライトストラテジ情報はピークパワーと複数のバイアスパワーを含むことを特徴とする情報記憶媒体に情報を記録する情報記録方法であって、
前記情報記憶媒体に光を照射し、情報を記録する情報記録方法。
【請求項３】
リードイン領域と、前記リードイン領域の外側に配置される第１のデータ領域を有する第１層と、
第２のデータ領域と、前記第２のデータ領域の内側に配置されるリードアウト領域とを有する第２層と、を具備し、
前記第１層の前記リードイン領域と前記第２層の前記リードアウト領域の半径方向寸法が重なり、
前記第１層の前記リードイン領域は、記録マークの極性情報を格納する領域と、媒体の種別毎のライトストラテジ情報を格納する領域とを有し、
前記ライトストラテジ情報はピークパワーと複数のバイアスパワーを含むことを特徴とする情報記憶媒体から情報を再生する情報再生方法であって、
前記情報記憶媒体に光を照射し、情報を再生する情報再生方法。
【発明の詳細な説明】
【技術分野】
【０００１】
この発明は、情報記憶媒体及び情報記録方法並びに情報再生方法に関する。
【背景技術】
【０００２】
レーザ光を用いて情報の記録と再生が可能な情報記憶媒体すなわち光ディスクが実用化されて久しい。例えば、直径が１２ｃｍのＤＶＤ規格の光ディスクには、標準的な画質の映像が、数時間記録可能である。また、再生専用の光ディスクにおいては、映像ソフトやコンテンツが、プレス加工あるいは成型加工により短時間で収録可能である。なお、情報の書き込み（追記）あるいは消去（書き換え）が可能なタイプの光ディスクには、ランドプリピットとグルーブトラック（プリグルーブ）が形成されている。
【０００３】
特許文献１には、プリグルーブとランドプリピットが存在する情報記憶媒体に対して新たな記録マークを記録する場合に、ａ）ランドプリピットに記録されたアドレス情報からの再生信頼性を確保するためにランドプリピットからは大きな検出信号が得られること、ｂ）記録マーク形成時の高いトラッキング安定性を確保するために、プリグルーブからの大きなトラックずれ検出信号を得ること、が示されている。
【０００４】
従来、ＤＶＤ規格の光ディスクにおいては、リードイン領域内の物理フォーマット情報ゾーンのバイト位置ＢＰ０の上位４ビットに記録されるブックタイプ(Book Type)を用いて、ディスクの識別を行っていた。ブックタイプはＤＶＤフォーラムの規格書毎に割当てられた予め決められたコードを示す。なお、バイト位置ＢＰ０の下位４ビットにはパートバージョン(Part Version)が記録される。パートバージョンはバージョン番号の桁そのものを表すのではなく、ＤＶＤフォーラムの規格書のバージョン毎に割当てられた予め決められたコードを示す。例えば、００００ｂがバージョン０．９（テスト用）に、０００１ｂがバージョン１．０ｘに、０１００ｂがバージョン１．９（テスト用）に、０１０１ｂがバージョン２．０ｘに、０１１０ｂがバージョン２．１ｘに割り当てられ、他はリザーブされる。
【先行技術文献】
【特許文献】
【０００５】
【特許文献１】特開２００１−２６６３６２号公報
【発明の概要】
【発明が解決しようとする課題】
【０００６】
リードイン領域内の物理フォーマット情報ゾーンには記録する時の記録条件（ライトストラテジ情報）も記録される。例えば、情報記録媒体の種別毎に記録・再生光の波長が異なる場合があり、ライトストラテジ情報も情報記録媒体の種別毎に異なる場合がある。種別毎に異なるライトストラテジ情報をそれぞれ専用の記録エリアを用意すると、リードイン領域の利用効率が低下する。
【０００７】
この発明の目的は、リードイン領域を有効利用することができる情報記憶媒体及びその記憶媒体に情報を記録する方法並びにその記憶媒体から情報を再生する方法を提供することである。
【課題を解決するための手段】
【０００８】
本発明の一実施形態によれば、リードイン領域と、前記リードイン領域の外側に配置される第１のデータ領域を有する第１層と、第２のデータ領域と、前記第２のデータ領域の内側に配置されるリードアウト領域とを有する第２層と、を具備し、前記第１層の前記リードイン領域と前記第２層の前記リードアウト領域の半径方向寸法が重なり、前記第１層の前記リードイン領域は、記録マークの極性情報を格納する領域と、媒体の種別毎のライトストラテジ情報を格納する領域とを有し、前記ライトストラテジ情報はピークパワーと複数のバイアスパワーを含むことを特徴とする情報記憶媒体が提供される。
【発明の効果】
【０００９】
この発明の情報記憶媒体によれば、情報記憶媒体の種別毎に異なるライトストラテジ情報を同じ領域内に記録可能であり、リードイン領域を有効利用することができる。
【図面の簡単な説明】
【００１０】
【図１】追記形情報記憶媒体の構造の一例を説明する概略図。
【図２】図１の追記形情報記憶媒体とは異なる情報記憶媒体の断面構造の一例を説明する概略図。
【図３】本発明の実施例で使用される基本原理を説明する概略図。
【図４】波長６５０ｎｍの光をＮＡ＝０．６の対物レンズで集光させた場合のグルーブ深さとPush-Pull信号振幅との関係を説明するグラフ。
【図５】波長４０５ｎｍの光をＮＡ＝０．６５の対物レンズで集光させた場合のグルーブ深さとPush-Pull信号振幅との関係を説明するグラフ。
【図６】波長６５０ｎｍの光をＮＡ＝０．６の対物レンズで集光させた場合にPush-Pull信号振幅を小さくでき、波長４０５ｎｍの光を集光させた場合にPush-Pull信号振幅を大きくできる条件を満たすプリグルーブ深さ範囲を示すグラフ（波長６５０ｎｍの光によるPush-Pull信号振幅を所定の大きさに設定した状態で、波長４０５ｎｍの光を異なるＮＡの対物レンズで集光させた場合のPush-Pull信号振幅とグルーブの深さの関係を説明するグラフ）。
【図７】Ｌ→Ｈ型有機色素記録材料の光吸収スペクトル特性の一例を示すグラフ。
【図８】Ｌ→Ｈ型有機色素記録材料の屈折率特性の一例を示すグラフ。
【図９】Ｈ→Ｌ型有機色素記録材料の光吸収スペクトル特性の一例を示すグラフ。
【図１０】図１及び図２の追記形情報記憶媒体のランドプリピットの構造を説明する概略図。
【図１１】図２の追記形情報記憶媒体の記録領域の構造を説明する概略図。
【図１２】図２の追記形情報記憶媒体の記録領域のデータ構造を説明する概略図。
【図１３】図１２に示したデータ構造の物理フォーマット情報とＲ物理フォーマット情報を説明する概略図。
【図１４】現行の映像情報配信システムを説明する概略図。
【図１５】本発明の情報記憶媒体を用いることで達成される映像情報配信システムの一例を説明する概略図。
【図１６】本発明の情報記憶媒体を用いることで達成される映像情報配信システムの一例を説明する概略図。
【発明を実施するための形態】
【００１１】
以下、図面を参照してこの発明の実施の形態を詳細に説明する。
【００１２】
図１は、現行の追記形情報記憶媒体（現行のＤＶＤ−Ｒディスク）の断面構造を示している。
【００１３】
現行のＤＶＤ−Ｒディスクは透明基板１０１、記録層１０３、光反射層１０２を有する。記録層１０３は有機色素系材料がスピナコーティング等により形成されている場合が多く、光反射率を上げるために、記録層１０３に隣接してＡｌやＡｕ等の無機物（金属の場合が多い）から成る光反射層１０２が形成されている。光反射層１０２の表面は、記録層１０３側でのプリグルーブ１０７やランドプリピット１０８部の凹凸形状を反映して段差ｄｃが生じている。
【００１４】
現行の書替え形情報記憶媒体（現行のＤＶＤ−ＲＷディスク）においても、透明基板１０１は、図１に示したＤＶＤ−Ｒディスクに類似した構造でプリグルーブ１０７やランドプリピット１０８が形成されている。しかし、記録層１０３には、相変化形記録材料が用いられ、記録層の相変化による記録マークを形成することが、現行のＤＶＤ−Ｒディスクと異なる。
【００１５】
そのため、ＤＶＤ−ＲディスクとＤＶＤ−ＲＷディスクでは、記録層１０３の材料が異なるだけでなく、記録層１０３の内部が、それぞれ材質の異なる複数層（記録層を挟んだ上部保護層や下部保護層、下地層等による積層構造）である。
【００１６】
本実施例における情報記憶媒体内の微細構造を、図２及び図１０（ｂ）に示す。なお、図２では、図１０（ｂ）に示したランドプリピット１０８の記載を省略してある。
【００１７】
本実施例における追記形情報記憶媒体内の記録層１０３の材料としては、後述する有機色素系材料が使用されている。また、記録層１０３に隣接して、ＡｇまたはＡｇ合金等の無機物から成る光記録層１０２が形成されている。なお、図２に示す情報記憶媒体では、光反射層１０２の反対側の界面には、図１と同様に凹凸形状が存在するが、光反射層１０２の厚みが充分厚いので、光反射層１０２の中央で切断した図面を示し、反対側の界面での凹凸形状の記載を省いた。
【００１８】
記録層１０３と光反射層１０２との界面では、プリグルーブ１０７やランドプリピット１０８部に段差がＨｒの凹凸形状になっている。
【００１９】
以降の説明では、本実施例における追記形情報記憶媒体内の記録層１０３として有機色素系材料を使用する実施例について説明するが、本発明はそれに限らず記録層１０３の材料として無機物を使用しても良い。
【００２０】
記録層１０３の材料として無機物を使用する例として、カルコゲナイド系等の相変化形（相変化を利用して記録マーク１０５を形成する）記録材料を使用してもよいし、Ｔｅ−Ｃ等の直接穴を開けて記録マーク１０５を形成するタイプ、あるいは異なる種類の無機層を複数層積層し、熱による拡散により記録マーク１０５内で混合物もしくは化合物を形成させてもよい。
【００２１】
図２に示した断面構造を有した本実施例における情報記憶媒体の場合には、Push-Pull法を用いたトラックずれ検出信号やランドプリピット１０８からの検出信号は、段差Ｈｒを有する記録層１０３と光反射層１０２との間の界面で反射した光の回折／干渉により得られる。
【００２２】
次に本発明の基本的な原理について説明する。
【００２３】
本発明の実施例は記録光と再生光との使用波長を変える記録／再生装置を提供すると共に、波長の異なった記録光と再生光に対して良好な記録特性と再生特性を保証する情報記憶媒体を提供することに大きな特徴がある。
【００２４】
またさらに、記録光に対してトラックずれ検出信号とランドプリピット検出信号が得られると同時に再生光に対してはプリグルーブやプリピットからの影響がほとんど出ないようなプリグルーブ形状と寸法およびランドプリピット形状と寸法に設定することに次なる特徴がある。
【００２５】
現行のＤＶＤ−ＲディスクやＤＶＤ−ＲＷディスクでは再生光の波長として６５０±５ｎｍを前提としている。
【００２６】
本実施例における情報記憶媒体では、現行のＤＶＤ−ＲディスクやＤＶＤ−ＲＷディスクとの間の再生互換性を確保するため、波長が６５０±５ｎｍの光で再生可能とする。
【００２７】
記録光に対してトラックずれ検出信号とランドプリピット検出信号が得られると同時に再生光（６５０±５ｎｍの光）に対してはプリグルーブやプリピットからの影響がほとんど出ないようなプリグルーブ寸法及びランドプリピット寸法と記録光の波長との関係について図３を用いて説明する。
【００２８】
前述したように、Push-Pull法を用いたトラックずれ検出信号やランドプリピット１０８からの検出信号は記録層１０３と光反射層１０２との間の界面（図２参照）で反射した光の回折／干渉により得られる。
【００２９】
段差がＨｒであるプリグルーブ１０７またはランドプリピット１０８とランド１０９の両方にそれぞれ波長の異なる入射光１１４が照射された場合を説明する。
【００３０】
図３（ａ）は波長が６５０ｎｍの再生光が照射された場合を表し、プリグルーブ１０７またはランドプリピット１０８とランド１０９に対して垂直に反射される反射光１１５が段差Ｈｒにより受ける位相差をε６５０で表す。
【００３１】
図３（ｂ）は再生光とは異なる波長λｗの記録光が照射された場合を示している。記録光による反射光１１５が段差Ｈｒにより受ける位相差をελｗとする。
【００３２】
段差量Ｈｒが等しい場合には、λｗ＜６５０ｎｍにおいて、ε６５０＜ελｗの関係が成り立つ。図３（ｃ）はどう見ても図には見えません（文章です）ので、図示できません。
【００３３】
ε６５０＜πであり、ελｗ＜πの場合には、位相差εが大きい方が反射光１１５間の干渉量が大きく、大きなトラックずれ検出信号とランドプリピット検出信号が得られる。
【００３４】
一方、位相差εが小さい方が反射光１１５間の干渉が小さく、プリグルーブやプリピットからの悪影響（先行技術の問題点で示したようなランドプリピットからのクロストーク信号やプリグルーブからのＤＣレベル低下による記録マークからの再生信号特性劣化）が出辛い（再生信号の特性劣化が少ない）。
【００３５】
そのため、本実施例では再生光の波長（６５０±５ｎｍ）に対して記録光の波長λｗを短くして（λｗ ＜ ６５０ｎｍ）、記録光に対してトラックずれ検出信号とランドプリピット検出信号が得られると同時に再生光に対してはプリグルーブやプリピットからの影響がほとんど出ないようにしたことに大きな特徴がある。
【００３６】
記録光に使用される波長λｗの値は６５０ｎｍより短ければ任意の値を取ることが可能である。
【００３７】
しかしＨＤ  ＤＶＤやＢＤ（Blu Ray Disc）で４０５ｎｍの半導体レーザ光源が使用されているので、同様に４０５ｎｍの光源を使用することで記録用光学ヘッドを安価に作成できる。
【００３８】
次に記録装置内に搭載される光学ヘッドについて説明する。
【００３９】
記録層１０３に集光する集光スポットは図１のプリグルーブ１０７上をトレース（トラッキング）する。
【００４０】
従って集光スポットサイズが極端に小さく無い場合、すなわち一定以上の大きさを有する場合には、プリグルーブ１０７の中心からランドプリピット１０８の中心までの距離Ｌｌｃの集光スポットサイズに対する比率が大きい方がランドプリピット１０８からの検出信号が大きく取れる。
【００４１】
また現行のＤＶＤ−ＲディスクやＤＶＤ−ＲＷディスクでの再生用光学ヘッドでは使用する対物レンズの開口数ＮＡ（Numerical Aperture）を、０.６０±０.０１に規定している。
【００４２】
記録層１０３に集光する集光スポットのサイズは光の波長をλとした時、λ／ＮＡに比例することが知られている。
【００４３】
従って本実施例では記録装置内に搭載される光学ヘッド内の対物レンズＮＡ値を現行の再生用光学ヘッドよりも大きくすることで記録層１０３に集光する集光スポットのサイズを小さくしてランドプリピット検出信号を大きくする。
【００４４】
記録装置内に搭載される光学ヘッド内の対物レンズＮＡ値としては再生用光学ヘッドの対物レンズＮＡ値である０.６より大きいことが要求されるが、０.６５以上であることが望ましい。
【００４５】
さらに、ＮＡ＝０.７０以上あるいはＮＡ＝０.８３以上にすることでより大きなランドプリピット検出信号が得られる。
【００４６】
上記では説明をし易くするために記録装置と再生装置を区別して説明したが、本実施例ではそれに限らず同一装置内で記録用光学ヘッドと再生用光学ヘッドとを用意してもよいし、同一装置内の同一光学ヘッド内に記録用の４０５ｎｍ光源とＮＡ０.６５の記録用対物レンズそして再生用６５０ｎｍ光源とＮＡ０.６０の再生用対物レンズを持たせても良い。
【００４７】
さらにそれに限らずＮＡ０.６５の対物レンズのみを使用し、再生時にはＮＡが０.６０になるように送光系に脱着可能なアパーチャ（開口制限用シャッタ）を配置しても良い。
【００４８】
本実施例では再生装置内での再生用光学ヘッドを現行のＤＶＤプレーヤに合わせて（互換性確保を目指して）波長６５０ｎｍ、ＮＡ０.６０にする代わりに記録装置内での記録用光学ヘッドの光源波長を６５０ｎｍよりも短く（望ましくは４０５ｎｍ）し、さらに記録用光学ヘッドに使用される対物レンズのＮＡ値を０.６０よりも大きく（望ましくはＮＡ０.６５以上）することで再生時よりも記録時の（Push-Pullによる）トラックずれ検出信号量とランドプリピット検出信号量を増大させている。
【００４９】
このように記録時のトラックずれ検出信号量とランドプリピット検出信号量を相対的に増大させることで、再生時のランドプリピット検出信号の影響を軽減すると共に再生時のトラックずれ検出信号量を低下させてプリグルーブ１０７からのＤＣレベル低下を防止し、再生時の記録マークからの再生特性の信頼性低下を防止することが可能となる。
【００５０】
そのために本実施例では記録光と再生光間の波長の違いを利用し、プリグルーブ１０７の形状及び寸法とランドプリピット１０８の形状及び寸法範囲を規定したことに技術的な特徴がある。
【００５１】
図２で説明したように、記録層１０３と光反射層１０２との間の界面で反射する光（この場合には再生光）によりランドプリピット検出信号量とトラックずれ検出信号量が決定される。
【００５２】
６５０±５ｎｍの再生光における記録層１０３内での屈折率をｎ６５０とすると、ランドプリピットの深さ（段差）と等しいプリグルーブの深さ（段差）Ｈｒが６５０／（８・ｎ６５０）ｎｍの時が最もランドプリピット検出信号とトラックずれ検出信号が大きく検出される。
【００５３】
従って再生時にその影響を受けない条件としては本実施例ではプリグルーブの深さ（段差）およびランドプリピットの深さ（段差）Ｈｒがその半分の６５０／（１６・ｎ６５０）ｎｍ以下に設定する。
【００５４】
またより影響を受けない条件ではさらにその半分の６５０／（３２・ｎ６５０）ｎｍ以下に設定することが望ましい。
【００５５】
記録層１０３と光反射層１０２との間の界面でのプリグルーブの深さ（段差）Ｈｒについてより詳細に検討を行う。
【００５６】
図３（ａ）及び図３（ｂ）で示した反射光１１５は対物レンズ通過後、情報記憶媒体の半径方向に配列された２分割検出器で光量検出される。
【００５７】
この光検出器内の各検出セルで検出された信号量をＩ１とＩ２で表す。
【００５８】
現行のＤＶＤ−Ｒ規格では、このトラックずれ検出信号の範囲として、
０．２２＜｜Ｉ１−Ｉ２｜ａｃ／｜Ｉ１＋Ｉ２｜ｄｃ＜０．４４    （１）
と規定している。
【００５９】
従って再生時のトラックずれ検出信号の影響を軽減し、プリグルーブ１０７からのＤＣレベル低下を防止する条件として本実施例では再生時の検出信号特性範囲として、
｜Ｉ１−Ｉ２｜ａｃ／｜Ｉ１＋Ｉ２｜ｄｃ＜０．２２              （２）
とする。
【００６０】
上記（２）式は最低条件であり、マージンを見越して、より再生時のトラックずれ検出信号の影響を軽減し、プリグルーブ１０７からのＤＣレベル低下を防止できる条件としては、（２）式の条件を半分に狭めた
｜Ｉ１−Ｉ２｜ａｃ／｜Ｉ１＋Ｉ２｜ｄｃ＜０．１１              （３）
が望ましい。
【００６１】
また現行のＤＶＤ−Ｒ規格では、ランドプリピット検出信号の範囲として
０．１８＜｜Ｉ１−Ｉ２｜ｏ−ｐ／｜Ｉ１＋Ｉ２｜ｄｃ＜０．２８  （４）
と規定しているので、再生時のランドプリピットからのクロストークの影響を軽減する条件として、本実施例では、再生時の検出信号特性範囲として
｜Ｉ１−Ｉ２｜ｏ−ｐ／｜Ｉ１＋Ｉ２｜ｄｃ＜０．１８            （５）
とする。
【００６２】
同様に、マージンを見越した条件としては、（５）式の条件を半分に狭めた
｜Ｉ１−Ｉ２｜ｏ−ｐ／｜Ｉ１＋Ｉ２｜ｄｃ＜０．０９            （６）
が一層望ましい。
【００６３】
上記の式において、集光スポットがプリグルーブ１０７とランド１０９を複数回跨った時に２個の検出セルで得られる信号の和であるＩ１＋Ｉ２に対する直流成分を｜Ｉ１＋Ｉ２｜ｄｃと定義し、２個の検出セルで得られる信号の差分振幅（交流成分）を｜Ｉ１−Ｉ２｜ａｃと定義する。
【００６４】
上記（２）式を満足するための記録層１０３と光反射層１０２との間の界面でのプリグルーブの深さ（段差）Ｈｒについてシミュレーションを行った。
【００６５】
シミュレーション条件としてトラックピッチＰｔｃ（図１参照）は現行ＤＶＤ−Ｒと同様の０．７４μｍに固定した。
【００６６】
記録層１０３と光反射層１０２との間の界面でのプリグルーブ断面形状は図１と同様に台形を仮定し、プリグルーブ１０７の左右斜面の傾斜角を５０度（垂直壁面の場合には９０度とした場合）に設定し斜面の中央での幅をランド幅とグルーブ幅と定義する。
【００６７】
波長６５０ｎｍの再生光をＮＡ０．６０の対物レンズで集光させた場合のプリグルーブ深さＨｒとPush-Pull信号振幅との間の関係を示すシミュレーション結果を図４に示す。なお、図４において、曲線Ａは、グルーブ深さが１０ｎｍの例を、曲線Ｂは、グルーブ深さが２０ｎｍの例を、曲線Ｃは、グルーブ深さが３０ｎｍの例を、曲線Ｄは、グルーブ深さが４０ｎｍの例を、曲線Ｅは、グルーブ深さが５０ｎｍの例を、曲線Ｆは、グルーブ深さが６０ｎｍの例を、曲線Ｇは、グルーブ深さが７０ｎｍの例を、それぞれ示している。
【００６８】
図４における縦軸の値は、（１）式に示す
｜Ｉ１−Ｉ２｜ａｃ／｜Ｉ１＋Ｉ２｜ｄｃ                        （７）
を表す。
【００６９】
図４は、パラメータをプリグルーブ深さＨｒとし、台形斜面の中央でのランド幅とグルーブ幅の比率を変えた時の（７）式の値を計算している。対物レンズに入射する入射光のビーム充填率を示すＡ／Ｗ値（Ａ：対物レンズの直径、Ｗ：入射光強度分布における中心強度に対するｅ−２幅の直径）は、円周方向で０．３０５８、半径方向で、０．１５１３とした。
【００７０】
同じ条件で、波長４０５ｎｍの記録光をＮＡ０．６５の対物レンズで集光させた場合のシミュレーション結果を図５に示す。なお、図５において、各曲線のａ〜ｇは、グルーブ深さを示し、それぞれは、図４の大文字と対応されている。
【００７１】
図５の例では、Ａ／Ｗ値は、円周方向で、０．３３３１、半径方向で、０．３３３１である。
【００７２】
図４に比べて図５の方が遙かに大きなPush-Pull信号振幅が得られていることが分かる。
【００７３】
図６は、図４の計算結果と図５の計算結果を、横軸をグルーブ深さとして重ねて示している。
【００７４】
上記（１）式の範囲が、図６の領域“Ｈ”で示した“ＤＶＤ−Ｒ規格上で規定されるPush-Pull信号の振幅範囲条件”になる。
【００７５】
上記（２）式を満足する条件として記録層１０３と光反射層１０２との間の界面でのプリグルーブの深さ（段差）Ｈｒを２０ｎｍ以下にすれば良いことが分かる。
【００７６】
また図６からこの条件下でもＮＡ０.６５の対物レンズを通過した波長４０５ｎｍの記録光で充分大きなPush-Pull信号振幅が得られることが分かる。
【００７７】
なお、図６から、上記（３）式を満足する条件として、記録層１０３と光反射層１０２との間の界面でのプリグルーブの深さ（段差）Ｈｒを１０ｎｍ以下にすれば良いことがわかる。
【００７８】
ＮＡ０．６５で４０５ｎｍの記録光を照射した場合には、プリグルーブの深さ（段差）Ｈｒに対して、
６０ｎｍ≦Ｈｒ≦１００ｎｍ                                    （８）
の範囲であれば、（１）式の条件を満足していることを図６は示している。
【００７９】
従って本実施例においてプリグルーブの深さ（段差）の範囲を（８）式の範囲内に設定している。
【００８０】
図２に示した構造を有し、波長４０５ｎｍの記録光で記録可能であると共に波長６５０ｎｍの再生光で記録マーク１０５からの充分大きな再生信号振幅が得られる記録層１０３に関する本実施例の説明を行う。
【００８１】
再生専用である現行のＤＶＤ−ＲＯＭディスクの規格上では、
６５０ｎｍの再生光での反射率が円偏光入射時には、
単層で４５〜８５％、
多層で１８〜３０％                                            （９）
６５０ｎｍの再生光での反射率が非円偏光（直線偏光）入射時には、
単層で６０〜８５％、
多層で１８〜３０％                                          （１０）
の範囲内になることを規定している。
【００８２】
従って本実施例の情報記憶媒体に対しても６５０ｎｍの再生光に対する反射率が４５〜８５％（多層の場合には１８〜３０％）の範囲内に入るように記録膜設計を行っている。
【００８３】
具体的には本実施例では上記大きな光反射率を得るために図２に示した光反射層１０２の材料としてＡｇＢｉを使用したことに特徴がある。
【００８４】
本発明はそれに限らず光反射層１０２の材料として銀合金または銀単体を使用しても良い。
【００８５】
また、現行のＤＶＤ−ＲＯＭディスクの規格上での記録マーク１０５からの再生信号の変調度に関しては、
“０レベル”から見た場合の最も再生信号が大きく出る時の値Ｉ１４Ｈと、
最も再生信号が小さくなるところでの値Ｉ１４Ｌに対し、
（Ｉ１４Ｈ−Ｉ１４Ｌ）／Ｉ１４Ｈ≧０．６０                  （１１）
を満足するように規定しているので、本実施例でも上記（９）式〜（１１）式を満足するように、記録膜特性を工夫している。
【００８６】
本実施例での記録層１０３で使用される有機色素記録材料の光吸収スペクトルを図７に示す。なお、図７において、曲線Ｉは、記録前の有機色素材料の吸収（吸光度）を、曲線Ｊ（点線）は、記録後の有機色素材料の吸収（吸光度）を、それぞれ示している。
【００８７】
本実施例では４０５ｎｍ記録光で記録される有機記録材料と記録マーク１０５のところで６５０ｎｍ再生光により光反射量が変化する有機記録材料を混合した（組み合わせた）ことに大きな特徴がある。
【００８８】
本実施例で使用され、４０５ｎｍ記録光で記録される有機記録材料としては、本件出願人による特許願２００５−０２４３０３で示したＬ→Ｈ形（記録された部分（記録マーク）内で非記録部分より反射率が上がる）記録材料を使用している。
【００８９】
特許願２００５−０２４３０３で説明したように、４０５ｎｍ記録光で記録される有機記録材料の最大吸収波長λｍａｘ  ｗｒｉｔｅの値を記録光の波長である４０５ｎｍよりも大きな値に設定することで、再生時の劣化防止や長期保存安定性を確保していることに特徴がある。
【００９０】
図７で示すように本実施例で使用される記録材料は４０５ｎｍの波長光に対して記録前に比べて記録後の吸光度が低下する。
【００９１】
４０５ｎｍの光は図２において透明基板１０１側から入射し、記録層１０３を経て光反射層１０２で反射後に再度記録層１０３を経て戻ってくる。
【００９２】
この光路途中で記録マーク１０５内での光吸収が低下するため戻ってくる反射光量が他の部分（反射光量がＬ：Ｌｏｗ）より増加（反射光量がＨ：Ｈｉｇｈ）する。
【００９３】
この時、記録マーク１０５の中では穴が開くのでは無く、特許願２００５−０２４３０３で記述したように分子配列変化または微小な分子構造変化により分子内の電子軌道変化が生じて光学特性が変化している。
【００９４】
本実施例における具体的な有機記録材料は、中心金属としてＣｏ（コバルト）を用いたアゾＣｏ錯体アニオン（アゾ金属錯体の一種）に、高感度化を目指して金属錯体になっていないアゾ色素を１０％添加した材料にヘミシアニンカチオンを組み合わせた。
【００９５】
本実施例ではそれに限らず、アゾＣｏ錯体アニオンに対してアゾ色素を１０％添加した材料に、モノメチンシアニンカチオンを組み合わせた材料でも良い。
【００９６】
さらに他の応用例としては、アゾＣｏ錯体アニオンに対してアゾ色素を１０％添加した材料にスチリルカチオンを組み合わせても良く、他には中心金属として銅Ｃｕを使用したアゾＣｕ錯体単体または中心金属としてニッケルＮｉを使用したアゾＮｉ錯体単体を使用しても良い。
【００９７】
また６５０ｎｍ再生光により光反射量が変化する有機記録材料として本件出願人による特許願２００５−１１６４６６で説明された材料を使用しても良い。
【００９８】
さらに本実施例では６５０ｎｍ再生光により光反射量が変化する有機記録材料の分子レベルでの熱構造変化温度または分解温度を４０５ｎｍ記録光で記録される有機記録材料に合わせることで記録／再生特性を安定化させたことに特徴がある。
【００９９】
記録マーク１０５形成時に４０５ｎｍ記録光で記録される有機記録材料の温度が上昇し分子配列変化または微小な分子構造変化が起きるが、この時の温度上昇に対応して６５０ｎｍ再生光により光反射量が変化する有機記録材料内でも分子配列変化または微小な分子構造変化が生じることで６５０ｎｍ再生光に対しても記録マーク１０５内での光反射量が変化する原理を発生させる。
【０１００】
具体的には前述した４０５ｎｍ記録光で記録される有機記録材料の分解温度が摂氏２３０〜２５０度なので、６５０ｎｍ再生光により光反射量が変化する有機記録材料もそれに合わせている。
【０１０１】
６５０ｎｍ再生光により光反射量が変化する有機記録材料として具体的には本実施例ではペンタメチンシアニンカチオンにアゾＣｏ錯体アニオンを組み合わせている。
【０１０２】
またそれに限らずアゾＣｕ錯体単体でも良い。
【０１０３】
上述した記録材料を使用した場合には６５０ｎｍ波長光に対しても記録前に比べて記録後で吸光度が低下するＬ→Ｈ形記録材料になっている。
【０１０４】
また図７に示すように６５０ｎｍ再生光により光反射量が変化する有機記録材料の最大吸収波長λｍａｘ  ｒｅａｄの値を、再生光波長である６５０ｎｍよりも長波長側に設定することでＬ→Ｈ形記録特性での記録マーク１０５からの再生信号振幅の増大化を図っていることに特徴がある。
【０１０５】
現行ＤＶＤ−ＲＯＭディスクでは、記録ピットの部分で光反射量が低下するので（Ｈ→Ｌ形）、互換性を取るためには、記録マーク１０５形成後に、ファイナライズ処理として本実施例ではランド１０９上での記録処理を行う。
【０１０６】
またそれに限らず、情報記憶媒体作成直後に工場内で出荷前の特性検査の一環として、ランド１０９上の記録を行っても良い。
【０１０７】
本実施例では４０５ｎｍ記録光で記録される有機記録材料よりも６５０ｎｍ再生光により光反射量が変化する有機記録材料の混合比（重量比率）を大きくすることで６５０ｎｍ再生光による記録マーク１０５からの再生信号振幅を大きく取れるようにしたことに技術的特徴がある。
【０１０８】
本実施例では最低でも４０５ｎｍ記録光で記録される有機記録材料よりも６５０ｎｍ再生光により光反射量が変化する有機記録材料の混合比（重量比率）を大きくしているが、
［６５０ｎｍ再生光により光反射量が変化する有機記録材料の混合比］：［４０５ｎｍ記録光で記録される有機記録材料の混合比］
の値が７：３の時が最も良好な記録／再生特性が得られている。
【０１０９】
また本実施例ではそれに限らず上記の値を９：１にしても良い。
【０１１０】
図７に示した光吸収スペクトルを有するＬ→Ｈ形有機色素材料の屈折率特性を図８に示す。なお、図８において、曲線Ｋは、記録前の有機色素材料の屈折率を、曲線Ｌ（点線）は、記録後の有機色素材料の屈折率を、それぞれ示している。
【０１１１】
６５０ｎｍ波長光に対して記録前と記録後で屈折率が変化していることが分かる。
【０１１２】
（１１）式に示すような大きな再生信号変調度を得るため、本実施例では図７に示す吸光度変化だけで無く屈折率変化を利用した干渉現象も利用している。
【０１１３】
図２において６５０ｎｍの再生光を光反射層１０２と記録層１０３の界面だけで無く、記録層１０３と透明基板１０１との間の界面でも反射させると共に両者の反射光間の位相を大きくずらすことで互いに干渉させてトータルの反射光量を低下させる。
【０１１４】
記録マーク１０５の中では図８に示すように屈折率が低下するために反射光間の位相のずれ量が減少する結果、トータルの反射光量を増大させる。
【０１１５】
本実施例では上記効果を発揮するためにプリグルーブ１０７内での記録層１０３の厚みＤｇを最適化させている。
【０１１６】
条件を変えて実験した結果、プリグルーブ１０７内での記録層１０３の厚みＤｇは６０ｎｍが最も記録マーク１０５からの検出信号振幅が大きく取れ、３０〜９０ｎｍの範囲が適性であることが分かった。
【０１１７】
本実施例では上記記録層１０３材料に合わせてプリグルーブ１０７やランドプリピット１０８の形状や寸法を最適化していることに技術的な特徴がある。
【０１１８】
本実施例ではスピナコーティングにより記録層１０３を形成するため、図２に示すようにランド１０９内での記録層１０３の厚さＤｌがプリグルーブ１０７内での記録層１０３の厚さＤｇより薄くなっている。
【０１１９】
従って（８）式の条件と上述したＤｇの範囲の両方を満足するための透明基板１０１上でのプリグルーブ１０７の深さ（段差）Ｈｇは２０〜３３ｎｍの範囲内に設定している。
【０１２０】
実験結果によると透明基板１０１上でのプリグルーブ１０７の深さ（段差）Ｈｇを１５ｎｍ以下にすると記録層１０３の厚みＤｇを大きく取れず、記録マーク１０５からの再生信号振幅が小さくなることが分かった。
【０１２１】
また、先行技術の問題点で指摘したように再生時のプリグルーブ１０７からのＤＣレベルが低下すると記録マークからの再生信号振幅が低下すると言う問題が生じていた。
【０１２２】
上記問題を解決するため、本実施例ではプリグルーブ１０７の幅Ｗｇｃを２５０〜３８０に設定している。
【０１２３】
本実施例では図示して無いがプリグルーブ１０７をウォブルさせて回転同期や信号同期を取り易くしている。
【０１２４】
このウォブル振幅値も大き過ぎると記録マーク１０５からの再生信号特性に悪影響を与える。
【０１２５】
本実施例では、ウォブル振幅を１５ｎｍｐ−ｐ以下（５ｎｍｐ−ｐが最も適性）に設定し、記録マーク１０５からの再生信号特性を良好に保っている（再生信号の特性を安定化している）。
【０１２６】
また、先行技術の問題点で指摘したようにランドプリピット１０８からのクロストーク信号混入が記録マーク１０５からの再生信号特性に悪影響を及ぼす。
【０１２７】
従って、本実施例ではランドプリピット１０８からのクロストーク信号混入を低減するためのランドプリピット１０８の形状と寸法に対する技術的な工夫を行っている。
【０１２８】
図１及び図１０（ａ）に示すように、現行のＤＶＤディスクでは、ランドプリピット１０８が凹凸のピット形状で形成されていた。
【０１２９】
この場合にはピットの境界部での信号変化（揺り戻しを含む）が大きいため、クロストークの影響が大きかった。
【０１３０】
それに対して本実施例では図１０（ｂ）に示すようにプリグルーブ１０７の一部を蛇行させてランドプリピット１０８を形成させる。
【０１３１】
その結果、ランドプリピット１０８前後での信号変化量を適性に制御させて記録マーク１０５からの再生信号特性を良好に保つことが可能となる。
【０１３２】
本実施例ではランドプリピット１０８でのプリグルーブ１０７の蛇行長さＬｐｃを４００ｎｍ、蛇行振幅Ｗｐｃを３００ｎｍにしている。
【０１３３】
本発明における記録層１０３に使用される有機系記録材料の他の実施例を用いた場合の光吸収スペクトルを図９に示す。なお、図９において、曲線Ｍは、記録前の有機色素材料の吸収（吸光度）を、曲線Ｎ（点線）は、記録後の有機色素材料の吸収（吸光度）を、それぞれ示している。
【０１３４】
４０５ｎｍ記録光で記録される有機記録材料としては前述したＨ→Ｌ形記録材料を使用し、６５０ｎｍ再生光により光反射量が変化する有機記録材料として記録場所で黒化する感熱色素材料を使用している。
【０１３５】
前記感熱色素材料を使用することで６５０ｎｍ再生光の波長で記録後には吸光度が大幅に増加し、再生光の反射光量を低下させるＨ→Ｌ形の記録材料になっている。
【０１３６】
図９に示す他の実施例では記録後における６５０ｎｍ再生光により光反射量が変化する有機記録材料の最大吸収波長λｍａｘ  ｒｅａｄの値を再生光波長である６５０ｎｍよりも小さく設定することで、記録前後の吸光度変化量を増大させ（１１）式の条件を満足させている特徴がある。
【０１３７】
本発明における情報記憶媒体は図１５に示すように映像情報のネットワーク配信に利用される。映像情報配信システムは暗号鍵発行会社２、小売店５、エンドユーザ６、ＤＶＤライセンス会社７、エージェント会社８、情報記憶媒体の製造会社９、特定情報の制作会社５４からなる。小売店５は情報記録装置５５を有する。
【０１３８】
特定情報の制作会社（コンテンツプロバイダ）５４からネットワークを経由して転送された暗号化された特定情報４２（映像コンテンツ１１）は、小売店（service anchor）５内での情報（複製）記録装置５５内で４０５ｎｍ記録光を用いて情報記憶媒体１０内に記録される。
【０１３９】
このように記録された情報記憶媒体１０がエンドユーザ６に販売され、エンドユーザ６は、６５０ｎｍの再生光を用いて特定情報４２（映像コンテンツ１１）を再生する。
【０１４０】
本発明では、情報記憶媒体の使用方法として下記の２方法を想定する。
【０１４１】
一方の方法は、図１５に示すように特定情報の制作会社５４から暗号化された特定情報４５（映像コンテンツ１１）を小売店５に対してネットワーク配信し、小売店５内で情報記憶媒体１０に記録する方法でＭＯＤ（Manufacturing On Demand）と呼ぶ。
【０１４２】
また、他方の方法は、特定情報の制作会社５４から直接エンドユーザ６にネットワーク配信し、エンドユーザ６が所有している記録装置内で４０５ｎｍ記録光を用いて情報記憶媒体１０に記録する方法で、ＥＳＴ（Electric Sell Through）と呼ぶ。
【０１４３】
本実施例の情報記憶媒体におけるマクロ的な構造を図１１に示す。    本実施例においてリードイン領域ＬＤＩ内は情報記憶媒体形成後に４０５ｎｍ記録光により記録マーク１０５を形成することで情報の記録を行う。
【０１４４】
図１２は本実施例の情報記憶媒体のデータ構造を示す図である。図１２（ａ）に示すように、内周側からディスクテストゾーンＤＫＴＺ（図示せず）、バーストカッティング領域ＢＣＡ（図示せず）、リードイン領域ＬＤＩ、データ領域ＤＴＡ、リードアウト領域（図示せず）が配置された構造になっている。リードイン領域ＬＤＩ内は従来の再生専用形及び書替え型情報記憶媒体ではエンボス（プリピット）の形で、従来の追記型情報媒体ではエンボスあるいはプリレコード（工場内での記録）の形で記録されているのに対し、本実施例の追記形および書替え形情報記憶媒体ではリードイン領域ＬＤＩ内は記録マーク形成による新規情報の追記（書替え形では書替え）が可能な領域となっている。
【０１４５】
リードイン領域ＬＤＩは内周側からイニシャルゾーンＩＮＺ、バッファゾーン１ ＢＦＺ１、リファレンスコードゾーンＲＣＺ、制御データゾーンＣＤＺ、バッファゾーン２ ＢＦＺ２を含む。
【０１４６】
イニシャルゾーンＩＮＺはリードインＬＤＩの開始位置を示している。イニシャルゾーンＩＮＺ内に記録されている意味を持った情報としては、物理セクタ番号が離散的に配置されている。１個の物理セクタ内にはデータＩＤ、ＩＥＤ（ID Error Detection code）、ユーザ情報を記録するメインデータ、ＥＤＣ（Error Detection Code）から構成されるデータフレーム構造の情報が記録されるが、イニシャルゾーンＩＮＺ内にも上記のデータフレーム構造の情報が記録される。しかしイニシャルゾーンＩＮＺ内ではユーザ情報を記録するメインデータの情報を全て“００ｈ”に設定するため、イニシャルゾーンＩＮＺ内での意味の有る情報は前述したデータＩＤ情報のみとなる。この中に記録されている物理セクタ番号の情報から現在位置を知る事ができる。すなわち、情報記憶媒体からの情報再生を開始する時にイニシャルゾーンＩＮＺ内の情報から再生開始した場合には、まずデータＩＤ情報の中に記録されている物理セクタ番号または論理セクタ番号の情報を抽出して情報記憶媒体内の現在位置を確認しつつ制御データゾーンＣＤＺへ移動する。
【０１４７】
バッファゾーン１ ＢＦＺ１は３０ＥＣＣブロック、バッファゾーン２ ＢＦＺ２は３２ＥＣＣブロックから構成されている。バッファゾーン１ ＢＦＺ１及びバッファゾーン２ ＢＦＺ２内もイニシャルゾーンＩＮＺと同様にメインデータの情報を全て“００ｈ”に設定している。
【０１４８】
バッファゾーン１の前には、参照コード記録ゾーン  ＲＣＺがあり、２ＥＣＣブロックから構成されている。ここには、再生装置の再生回路調整用に用いられる領域で、特殊な信号パターンが記録されている。
【０１４９】
ディスクテストゾーンＤＫＴＺは情報記憶媒体の製造メーカーが品質テスト（評価）を行うために設けられた領域である。
【０１５０】
ドライブテストゾーンＤＲＴＺは情報記録再生装置が情報記憶媒体への情報を記録する前に試し書きするための領域として確保されている。情報記録再生装置は予めこの領域内で試し書きを行い、最適な記録条件（ライトストラテジ）を割り出した後、その最適記録条件でデータ領域ＤＴＡ内に情報を記録する事が出来る。
【０１５１】
図１２（ｃ）に示すように、媒体関連情報ＤＭＩは媒体メーカ情報２５２、その他情報２５３を含む。
【０１５２】
この情報ゾーンの配置は、従来の再生専用型とまったく同じ配置であり、これによって、従来の再生専用機器での再生互換性が向上する。
【０１５３】
従来の追記型ディスクであるＤＶＤ−Ｒや、書替え型ディスクであるＤＶＤ−ＲＷでは、イニシャルゾーンの後ろがバッファーゾーンと、制御データゾーンＣＤＺとよく似た内容のＲ物理情報ゾーンＰＩＺになっているほか、バッファーゾーン２の代わりに、特別なボーダーゾーンという、情報エリアになっているという違いがある。
【０１５４】
物理フォーマット情報ＰＦＩは２０４８バイトの情報であり、記録場所（先頭からの相対的なバイト位置）により記録される情報の種類が規定されている。すなわち、バイト位置ＢＰ０〜ＢＰ３１はＤＶＤファミリー内の共通情報２６１を、バイト位置ＢＰ３２〜ＢＰ２０４７は規格毎の固有情報を格納する。バイト位置ＢＰ３２〜ＢＰ５１１は規格毎固有領域であり、バイト位置ＢＰ５１１に媒体識別情報（Disc Identifier）２６２を格納する。バイト位置ＢＰ５１２〜ＢＰ２０４７はバイト位置５１１毎の固有領域であり、各規格書のタイプとバージョンの固有情報２６３と、ライトストラテジ情報２６４を格納する。
【０１５５】
このように情報内容により物理フォーマット情報内の情報配置位置を共通化する事で媒体の種類に依らず記録されている情報の場所が共通化されているので、情報再生装置あるいは情報記録再生装置の再生処理の共通化と簡素化が図れる。
【０１５６】
図１２（ｄ）に示すように、ＤＶＤファミリー内の共通情報２６１はバイト位置ＢＰ０〜ＢＰ１６に再生専用形、書替え形、追記形の全てに共通に記録してある情報２６７を、バイト位置ＢＰ１７〜ＢＰ３１に書替え形と追記形に共通に記録してある（再生専用形では記録していない）情報２６８を記録する。
【０１５７】
図１３は図１２に示した物理フォーマット情報ＰＦＩの具体的な情報内容と物理フォーマット情報ＰＦＩ内情報の媒体種類（再生専用形か書替え形か追記形か）による比較を示す。
【０１５８】
ＤＶＤファミリー内の共通情報２６１内の再生専用形、書替え形、追記形の全てに共通に記録して有る情報２６７としてはバイト位置ＢＰ０〜ＢＰ１６までに順次に規格書のタイプ（再生専用/書替え/追記）情報（上位４ビット）とバージョン番号情報（下位４ビット）、媒体サイズ（直径）と最大可能データ転送レート情報、媒体構造（単層か２層か、エンボスピット／追記領域／書き替え領域の有無）、記録密度（線密度とトラック密度）情報、データ領域ＤＴＡの配置場所情報、バーストカッティング領域ＢＣＡの有無情報（本実施形態は全て有り）が記録されている。
【０１５９】
ブックタイプはＤＶＤフォーラムの規格書毎に割当てられ、例えば、００００ｂが再生専用（ＲＯＭ）規格とＣＳＳ(Content Scramble System)管理記録ディスクの追記規格に、０００１ｂが書替え（ＲＡＭ）規格に、００１０ｂが追記（Ｒ）規格に、００１１ｂが再記録（ＲＷ）規格に割り当てられ、他はリザーブされる。バイト位置ＢＰ０の下位４ビットにはＤＶＤフォーラムの規格書のバージョン毎に割当てられ予め決められたコードを示すパートバージョンが記憶される。
【０１６０】
ＤＶＤファミリー内の共通情報２６１で有り、従来の書替え形と追記形に共通に記録して有る情報２６８として、１７バイト目から２７バイト目まで順次最高記録速度を規定したリビジョン番号情報、最高記録速度を規定したリビジョン番号情報、リビジョン番号テーブル（応用リビジョン番号）、クラス状態情報、拡張された（パート）バージョン情報が記録されている。バイト位置ＢＰ２８〜ＢＰ３１まではリザーブ領域とされる。
【０１６１】
本実施例のディスクは、再生装置に対して再生専用型ディスクと認識されるため、実際には追記型あるいは書替え型であっても、バイト位置ＢＰ０の上位４ビットは００００ｂと再生専用（ＲＯＭ）規格を表す値が記録され、以下バイト位置ＢＰ１６まで、再生専用ディスクと同様の値が記録され、バイト位置ＢＰ１７〜ＢＰ３１は、再生専用型と同じく、リザーブ領域とされる。  
次に、各規格書のタイプ毎の固有情報と、固有情報のバイト位置ＢＰ５１１の識別情報（Disc Identifierあるいはpage descriptor）２６２の値毎に固有に設定できる情報内容２６３の意味について説明する。バイト位置ＢＰ３２〜ＢＰ５１１までの各規格書のタイプ毎の固有情報はバイト位置ＢＰ０に記録されている規格書のタイプとバージョン番号情報によって定義が定められる。バイト位置ＢＰ５１１の識別情報（Disc Identifier）２６２の値毎に固有に設定できるバイト位置ＢＰ５１２〜ＢＰ２０４７までの情報内容２６３はタイプが異なる書替え形情報記憶媒体と追記形情報記憶媒体との違いのみならず同じ種類の媒体においても識別情報（Disc Identifier）２６２の値が異なると各バイト位置での記録情報内容の意味が異なる事を許容する。従来の再生専用ディスクにおいてはバイト位置ＢＰ５１１〜ＢＰ２０４７まではリザーブ領域であったため、これらの領域は従来機器は無視する設計になっているため、記録済みのディスクを従来の機器で再生する場合に障害とならない。
【０１６２】
バイト位置ＢＰ５１１に識別情報（Disc Identifier）２６２が格納され、バイト位置ＢＰ３２〜ＢＰ５１０まではリザーブ領域である。識別情報（Disc Identifier）２６２は上位４ビットがディスクインジケータ（Disc Indicator）、下位４ビットがリビジョン番号のメジャー桁を格納する。ディスクインジケータ（Disc Indicator）は０１００ｂが本発明の一実施例であるＣＳＳ管理記録ディスクのＤＶＤ−Ｒディスクに割当てられ、他はリザーブされている。リビジョン番号のメジャー桁はランドプリピット（ＬＰＰ）に記録されているリビジョン番号の上記桁のデータがコピーされ、０００１ｂがリビジョン１．ｘに割り当てられ、他はリザーブされている。リビジョン番号のメジャー桁はリビジョン番号ｘ．ｙの桁ｘのバイナリ表記であるので、リビジョン番号のメジャー桁が瞬時に判別できるとともに、メジャー桁が変更になっても対応機器は記録することが出来るし、非対応機器は明確に対応していないこと判断できる。例えば、物理フォーマットを変更してリビジョン番号が２．０となった場合、００１０ｂとなる。これらにより、記録装置または再生装置のディスク判別が高速かつ容易に行え、記録／再生処理の簡素化と安定化を保証できる。
【０１６３】
識別情報２６２の値毎に固有に設定できる情報内容２６３としては４０５ｎｍ記録光を用いて情報記憶媒体に記録する時の各種の記録条件（ライトストラテジ）情報２６４に先立つ位置に媒体製造メーカー名情報、媒体製造メーカーからの付加情報、記録マークの極性（“Ｈ→Ｌ”か“Ｌ→Ｈ”かの識別）情報、記録時もしくは再生時の線速度情報、円周方向に沿った光学系のリムインテンシティ値、半径方向に沿った光学系のリムインテンシティ値、再生時の推奨レーザパワー（記録面上の光量値）がバイト位置ＢＰ５１２〜ＢＰ５７９に記録される。
【０１６４】
バイト位置ＢＰ５７５の記録マークの極性（“Ｈ→Ｌ”か“Ｌ→Ｈ”かの識別）情報（Mark Polarity Descriptor）を持たせた所に本実施形態の特徴が有る。従来の書替え形あるいは追記形ＤＶＤディスクでは未記録状態（反射レベルが相対的に高い：High）に対して記録マーク内の光反射量が低下（Low）する“Ｈ→Ｌ”（High to Low）記録膜しか認めていなかった。それに対して“高速記録対応”や“低価格化”あるいは物理的な性能として“クロスイレーズの減少”や“書き替え回数上限値の増加”などの要求が媒体に対して出されると、従来の“Ｈ→Ｌ”記録膜だけでは対応し切れないと言う問題が生じる。これに対して、本実施形態では“Ｈ→Ｌ”記録膜だけで無く、記録マーク内で光反射量が増加する“Ｌ→Ｈ”記録膜の使用まで許容するため、従来の“Ｈ→Ｌ”だけで無く“Ｌ→Ｈ”記録膜も規格内に組み込み、記録膜の選択範囲を広げることで高速記録可能や低価格媒体を供給できると言う効果が生じる。
【０１６５】
バイト位置ＢＰ５７７、ＢＰ５７８に円周方向に沿った光学系のリムインテンシティ値と半径方向に沿った光学系のリムインテンシティ値の情報が配置されている所に本実施形態の特徴が有る。これらの情報は後ろ側に配置される記録条件を割り出す時に使用した光学ヘッドの光学系の条件情報を意味している。リムインテンシティとは情報記憶媒体の記録面上に集光する前に対物レンズに入射する入射光の分布状況を意味し、
『入射光強度分布の中心強度を“１”とした時の対物レンズ周辺位置（瞳面外周位置）での強度値』
で定義される。対物レンズへの入射光強度分布は点対称ではなく、楕円分布をし、情報記憶媒体の半径方向と円周方向でリムインテンシティ値が異なるので２通りの値が記録される。リムインテンシティ値が大きいほど情報記憶媒体の記録面上での集光スポットサイズが小さくなるので、このリムインテンシティ値により最適な記録パワー条件が大きく変わる。情報記録再生装置は自分が持っている光学ヘッドのリムインテンシティ値情報を事前に知っているので、まず情報記憶媒体内に記録されている円周方向と半径方向に沿った光学系のリムインテンシティ値を読み取り、自分が持っている光学ヘッドの値と比較する。比較した結果に大きな違いが無ければ後ろ側に記録されている記録条件を適用できるが、比較した結果で大きな食い違いが有れば後ろ側に記録されている記録条件を無視し、図１２に示したドライブテストゾーンＤＲＴＺを利用して記録再生装置自ら試し書きをしながら最適な記録条件の割り出しを始める必要が有る。
【０１６６】
このように後ろ側に記録されている記録条件を利用するか、その情報を無視して自ら試し書きをしながら最適な記録条件の割り出しを始めるかの判断を早急に行う必要が有る。表８に示すように推奨される記録条件が記録されている位置に対する先行位置にその条件を割り出した光学系の条件情報を配置する事で、まず始めにそのリムインテンシティ情報を読み取る事が出来、後に配置される記録条件の適合可否を高速に判定出来ると言う効果が有る。
【０１６７】
さらに、識別情報２６２の値毎に固有に設定できる情報内容２６３は記録条件（ライトストラテジ）情報２６４として、バイト位置ＢＰ６０１〜ＢＰ６０８に、ピークパワー、バイアスパワー１、バイアスパワー２、バイアスパワー３等が記憶されている。
【０１６８】
ところで、従来は、大きく規格の内容が変更になった時にバージョンを変更させる規格書（バージョンブック）と記録速度など小変更に対応してリビジョンを変更して発行するリビジョンブックに分け、記録速度が向上する毎にリビジョンのみを更新したリビジョンブックのみを発行できるようにしている。従来は、バイト位置ＢＰ０に、追記型や書替え型ディスク表す値と、そのバージョン番号が記録されるとともに、前述のようにバイト位置１７から２８においても、関係するリビジョンブックのリビジョン番号を記録されていた。これによって、再生、および記録機器は違うバージョンブック、リビジョンブックでも混乱なく扱うことができた。
【０１６９】
ところが本ディスクでは、追記型あるいは書替え型にもかかわらず、バイト位置ＢＰ０が再生専用ディスクであるＤＶＤ−ＲＯＭを示す値が記録されている。  またバイト位置３１までも再生専用ディスクのそれと同じ内容になっている。したがって、バイト位置ＢＰ３２以降のＤＶＤ−ＲＯＭではリザーブしている場所に新しいディスクの識別情報を設ける必要がある。また、記録時に必要な物理パラメータ（ライトストラテジの値）や、このディスクに固有な各種情報を記録する必要もある。そのため、前述の実施例では、識別情報２６２や、情報内容２６３をバイト位置５１１以降に記録しているしかしながら、バイト位置ＢＰ３２移行の領域はブックタイプとそのブックのパートバージョン毎に定義される固有の領域であること、また、今後他の用途に使う可能性に備えて、リザーブ領域を確保することが望ましい。したがって、リザーブ領域を単純に新用途に使ってしまうと、他の用途に使えなくなってしまうため、避ける必要がある。そのため、記録ディスクであることを示す識別子（ディスクインジケータ）として、４ビットの情報を定義する。また、そのディスクの記録規格の版を示す情報として、８ビットのリビジョン番号を定義する。リビジョン番号はメジャー桁（上位４ビット）と、マイナー桁（下位４ビット）に分けて使う。上位４ビットは、互換性がなくなる変更を行う場合に変更する。下位４ビットは、互換性はあるものの、あらたな機能が追加された場合に変更する。
【０１７０】
このようにした上で、識別子（ディスクインジケータ）４ビットと、リビジョン番号の上位４ビットの合計１バイトを識別情報（Disc identifier）２６２として、例えばバイト位置Ｂ５１１に記録し、この情報の値毎にバイト位置ＢＰ５１２〜ＢＰ２０４７が定義される。こうすることによって、識別子（Disc indicator）あるいはリビジョン番号のメジャー桁が変更された場合に、バイト位置ＢＰ５１１〜ＢＰ２０４８の情報内容２６３を新たに定義することができる。
【０１７１】
識別情報（Disc identifier）２６２の値毎の固有領域２６３の定義は任意であり、一例としてランドプリピットに記録されている情報のコピーや、ライトストラテジ情報を記録する。ランドプリピットの情報は、一般に制御データゾーンの情報に比べて読みにくかったり、記録後に信号品質が落ちたり、記録用の光ヘッドでなければ読めないという特性がある。したがって、ここにランドプリピットの情報のコピーを記録することによって、ランドプリピットに記録されているディスクメーカーや、ディスクメーカーのつけたディスク型番の識別情報を、記録後でも安定して読めることができるようになる。これによって、例えば、品質問題が発生したときの原因究明が容易になる。
【０１７２】
また、ＤＶＤ−ＲＯＭにおいては、この識別情報２６２の値はゼロであるため、将来未知の用途で、領域が必要になった場合にも、バイト位置ＢＰ５１２〜ＢＰ２０４７が利用できる。未記録ディスクの新しい仕様ができた場合は、識別情報２６２の下位４ビットであるリビジョン番号のメジャー桁を変更することで対処できる。
【０１７３】
また、まったく別の用途にバイト位置ＢＰ５１２〜ＢＰ２０４７を使いたい場合には、識別情報２６２の上位４ビットであるディスクインジケータを変更することで対処できる。
【０１７４】
ディスクインジケータとリビジョン番号のメジャー桁が同じバイト位置にあるため、記録再生装置が識別するのも簡単になり、判断のミスが発生しにくくなるメリットもある。
【０１７５】
なお、リビジョン番号の下位４ビットであるマイナー桁は、バイト位置ＢＰ５１２〜ＢＰ２０４７内に記録すればよい。なぜならば、この下位４ビットは、既存の定義を変更する必要がない場合に変更される桁であるため、識別情報（Disc Identifier）２６２の中に入れる必要がなく、また、識別情報（Disc Identifier）２６２のリビジョン番号のメジャー桁毎に独自に設定される値であるため、領域２６３の外に設定する必要はないからである。こうすることによって、既存の定義を変更しない互換性を失わない小変更、例えば従来の機能はそのままで、新たな機能が追加された場合は、リビジョン番号のマイナー桁を変更することによって識別させることができる。
【０１７６】
また、ＥＳＴや、ＭＯＤの区別は、未記録ディスクの物理特性が同じであれば、識別情報（Disc Identifier）２６２で識別する必要はなく、必要があれば、領域２６３内に、判別可能な情報を設ければよい。
【０１７７】
図１５または図１６に示すように、情報記憶媒体の製造会社９からブランク状態の情報記憶媒体１０が販売される。
【０１７８】
本実施例においてはＭＯＤとして使用される場合にはブランク状態の情報記憶媒体１０内には図１２に示すリードインＬＤＩ内の情報（制御データゾーンＣＤＺ内の物理フォーマット情報ＰＦＩを含む）が未記録な状態で情報記憶媒体の製造会社９から小売店５に販売される。
【０１７９】
この方法では情報記憶媒体の製造会社９内では情報記憶媒体１０内にリードインＬＤＩ内の情報（制御データゾーンＣＤＺ内の物理フォーマット情報ＰＦＩを含む）を記録するコストが掛からないので、小売店５に対して安価にブランク状態２０の情報記憶媒体１０を売ることができる。
【０１８０】
ＭＯＤの場合には４０５ｎｍ記録光を用いて記録する時の記録条件（ライトストラテジ）はランドプリピット１０８内に予め記録されている。
【０１８１】
ＭＯＤの場合にはランドプリピット１０８に予め記録された情報に対する再生性能の優れた情報（複製）記録装置５５を使用しているため、ランドプリピット１０８からの情報再生安定性が確保されている。  それに比べてＥＳＴで使用される場合にはリードインが情報記憶媒体の製造会社９内で記録されるため、エンドユーザ６が所有する記録装置では、リードインＬＤＩに存在するランドプリピット１０８からの情報再生安定性が保証できない。
【０１８２】
そのため本実施例ではブランク状態２０の情報記憶媒体１０として４０５ｎｍ記録光を用いて記録する時の記録条件（ライトストラテジ）が記載された物理フォーマット情報ＰＦＩを含む制御データゾーンＣＤＺ（とそれを包括するリードイン領域ＬＤＩ）の情報を記録して販売する。
【０１８３】
４０５ｎｍ記録光を用いて記録された情報（記録マーク１０５）からの再生信頼性が高いので、本実施例によればＥＳＴで使用する時の記録条件（ライトストラテジ）情報の獲得信頼性が大幅に向上する。
【０１８４】
あるいは、ＤＶＤ−ＲＯＭとして新規なコピープロテクションのための、鍵情報を記録する必要が生じた場合、PGDとして、まったく未定義の値を使えば領域２６４に、鍵情報を記録できる。
【０１８５】
図１３に示すように識別情報の値毎に固有に設定できる情報内容２６４の領域内のバイト位置ＢＰ６０１以降に４０５ｎｍ記録光を用いて記録する時の記録条件（ライトストラテジ）が記録可能になっている。
【０１８６】
現行の追記形のＤＶＤ−Ｒディスクではここの領域内に６５０ｎｍ波長光で記録する時の記録条件（ライトストラテジ）を記録可能にすることで、情報記憶媒体の種別毎に異なる記録条件（ライトストラテジ）を同じ領域内に記録可能となり物理フォーマット情報ＰＦＩ内の領域内の有効利用をすることが可能となる。
【０１８７】
現行のＤＶＤ−Ｖｉｄｅｏディスクに記録される情報内容とその作成場所について、図１４を用いて説明する。
【０１８８】
現行のＤＶＤ−Ｖｉｄｅｏディスクでは映像情報の不正コピーを防止する機能として、ＣＳＳ(Content Scramble System)方式を用いた暗号化処理がなされている。
【０１８９】
コンテンツ制作会社（スタジオ）１が作成した映像コンテンツ１１は、テープを媒体として、あるいはネットワーク転送により、ディスク複製会社（レプリケータ）４に配信される。
【０１９０】
映像コンテンツ１１に対する不正コピーを防止する場合には、この配信された映像コンテンツ１１そのものがＤＶＤビデオディスク３内に記録するのでは無く、映像コンテンツ１１をタイトル鍵１２により暗号化した暗号化された映像コンテンツ１４がＤＶＤビデオディスク３の中に記録される。
【０１９１】
この暗号化処理は、ディスク複製会社（レプリケータ）４内に存在する映像コンテンツ暗号器２２内で行われると共に、暗号化に使用されるタイトル鍵１２もディスク複製会社（レプリケータ）４内に存在するタイトル鍵生成部２１内で発行される。
【０１９２】
またディスク複製会社（レプリケータ）４は有料で（鍵代金１７を支払って）暗号鍵発行会社であるＣＳＳエンティティー２からディスク鍵情報１５と暗号化されたディスク鍵群１６の情報をもらい、この暗号化されたディスク鍵群１６の情報をＤＶＤビデオディスク３内に記録する。
【０１９３】
さらにＣＳＳエンティティー２からもらったディスク鍵１５の情報を利用してタイトル鍵１２を暗号化し、暗号化されたタイトル鍵１３も同じくＤＶＤビデオディスク３内に記録する。
【０１９４】
現行におけるＤＶＤ−Ｖｉｄｅｏディスクでは暗号化されたディスク鍵群１６をリードイン領域内（図１１におけるリードイン領域ＬＤＩ内の図１２（ａ）に示した制御データーゾーンＣＤＺ内）に記録すると共に、暗号化されたタイトル鍵１３に関する情報はＤＶＤビデオディスク３の基本記録単位である物理セクター内の特定場所内に分散配置記録される。
【０１９５】
またディスク複製会社（レプリケータ）４はＤＶＤビデオディスク３を製造する毎にＤＶＤライセンス会社７に対してＤＶＤライセンス料１９を支払い、ＤＶＤビデオディスク製造許諾権１８を得ている。
【０１９６】
このように暗号化されたディスク鍵群１６と暗号化されたタイトル鍵１３、暗号化された映像コンテンツ１４が記録されているＤＶＤビデオディスク３をエンドユーザ６は購入代金３５を払って購入する。
【０１９７】
エンドユーザ６が所有している再生装置であるＤＶＤプレーヤでは図示して無いが、マスタ鍵を使ってディスク鍵の暗号解読を行い、解読されたディスク鍵を利用して生成（暗号解読）されたタイトル鍵１２を利用して暗号化された映像コンテンツ１４を非暗号状態の映像コンテンツ１１に戻して再生表示する。
【０１９８】
現行のＤＶＤビデオディスク３では上記暗号化されたディスク鍵群１６と暗号化されたタイトル鍵１３、暗号化された映像コンテンツ１４が微細な凹凸形状を有するピットとして記録されているのに対し、本実施例では波長λｗの記録光により形成された記録マーク１０５の形で情報記憶媒体１０内に記録されると共に映像コンテンツ１１に関係する情報である暗号化された特定情報４５（暗号化された映像コンテンツ１４）とＣＳＳ方式に関係する暗号化関連情報がネットワーク配信されることに大きな特徴がある。
【０１９９】
現行の追記形情報記憶媒体であるＤＶＤ−Ｒディスクでは不正コピー防止のための暗号化方式としてＣＰＲＭ(Content Protection for Recordable Media)を使用するのに対して本実施例に示した情報記憶媒体１０に対しては図１４に示したＣＳＳに関連した情報を記録することに情報記憶媒体としての大きな特徴がある。
【０２００】
すなわち、波長λｗの記録光により情報が記録された後の本実施例に対応した情報記憶媒体は、凹凸形状を有するピットでは無く記録マーク１０５が形成されているにも関わらず、あたかも図１４により作成したＤＶＤ−Ｖｉｄｅｏディスクであるかのように、ＤＶＤプレーヤ（再生装置）に認識させて再生を可能にする。
【０２０１】
従って波長λｗの記録光により情報が記録された後の本実施例に対応した情報記憶媒体は上記ＣＳＳに関連した情報である暗号化されたディスク鍵群１６（図１２に示すリードイン領域ＬＤＩ内の制御データゾーンＣＤＺ内に記録される）と暗号化されたタイトル鍵１３、暗号化された映像コンテンツ１４が記録されている。
【０２０２】
また既存のＤＶＤプレーヤ（再生装置）に対して再生専用のＤＶＤ−Ｖｉｄｅｏディスクであるかの様に認識させるため、図１２に示す制御データゾーンＣＤＺ内の物理フォーマット情報ＰＦＩ内で“再生専用媒体（ＤＶＤ−ＲＯＭディスク）”であると明示することにも本実施例の特徴がある。
【０２０３】
これにより、ＤＶＤプレーヤ（再生装置）に一切の負担をかけることなく、安定に本発明実施例で示した情報記憶媒体１０内に記録された情報を再生させることが可能となる。
【０２０４】
具体的には本実施例においては図１３のバイト位置ＢＰ０に記録される“規格書のタイプ情報とバージョン番号情報”で規格書タイプを“００００ｂ”と設定してＤＶＤ−ＲＯＭ規格書と指定する。
【０２０５】
規格書タイプをこのように指定したとしても、図１３に示したバイト位置５１１の識別情報２６２を使うことで本実施例の情報記憶媒体か本物のＤＶＤ−ＲＯＭディスクかの識別は可能である。
【０２０６】
さらに、図１３のバイト位置ＢＰ２に記録される媒体構造の中でエンボスピットと追記領域や書き替え領域の有無を指定することになっているが、本実施例では“ｂ２，ｂ１，ｂ０”の値を“００１”としてあたかもエンボスピットのみの構造であるようにＤＶＤプレーヤ（再生装置）に対して明示する。
【０２０７】
前記媒体構造の情報において、
ｂ２＝０ｂの場合には対応する情報記憶媒体内に書き替え可能なユーザ領域を持たないことを示し、
ｂ２＝１ｂの場合には対応する情報記憶媒体内に書き替え可能なユーザ領域を持つことを示す。
【０２０８】
また、
ｂ１＝０ｂの場合には対応する情報記憶媒体内に追記可能なユーザ領域を持たないことを示し、
ｂ１＝１ｂの場合には対応する情報記憶媒体内に追記可能なユーザ領域を持つことを示す。
【０２０９】
さらに、
ｂ０＝０ｂの場合には対応する情報記憶媒体内にエンボスピットが形成されているユーザ領域を持たず、
ｂ０＝１ｂの場合には対応する情報記憶媒体内にエンボスピットが形成されているユーザ領域を持つ
ことを意味する。
【０２１０】
上述したＭＯＤ方法に使用される情報記憶媒体１０は図１５または図１６に示すように小売店５内に設置された情報（複製）記録装置５５により暗号化されたディスク鍵群１６と暗号化されたタイトル鍵１３、暗号化された映像コンテンツ１４が記録され、ＥＳＴ方法に使用される情報記憶媒体は情報記憶媒体の製造会社９が暗号化されたディスク鍵群１６を記録し、エンドユーザ６が所有している記録装置により暗号化されたタイトル鍵１３、暗号化された映像コンテンツ１４が記録される。
【０２１１】
いずれにしても、本実施例においては、ＣＳＳ関連情報と映像コンテンツ１４等の特定情報に関連する情報がネットワーク経由で記録装置に対して配信される。
【０２１２】
このようにネットワーク経由で配信される途中で映像コンテンツ１４等の特定情報が不正コピーされたり、ＣＳＳに関連した各種鍵情報が盗まれることで情報記憶媒体１０内に記録された暗号化された特定情報４２（暗号化された映像コンテンツ１４）の暗号解読が不正になされて不正コピーされる危険性が高くなる。
【０２１３】
この問題を解消するために本実施例では映像コンテンツ１４等の特定情報とＣＳＳに関連した各種鍵情報いずれに対しても暗号化後の情報をネットワーク経由で配信させることに本実施例の大きな特徴がある。
【０２１４】
それにより仮にネットワーク経由で情報が漏れたとしても、漏れた情報は非暗号化状態の（プレーンな）情報では無く必ず暗号化された情報なために再利用が不可能であり不正コピーが防止されると言う効果が生まれる。
【０２１５】
上記の本実施例における特徴に関する詳細な説明を図１５を用いて行う。
【０２１６】
前述したようにＭＯＤ方法に使用される情報記憶媒体１０は小売店５内に設置された情報（複製）記録装置５５内で記録波長λｗ（≠６５０ｎｍ）の光で記録される。
【０２１７】
この情報（複製）記録装置５５内には通信鍵記憶部５２とマスタ鍵記憶部２７が存在する。
【０２１８】
図１５では両者が異なるように記述されているが、それに限らず通信鍵記憶部５２とマスタ鍵記憶部２７が１個のメモリ内で兼用されていても良い。
【０２１９】
小売店５は、映像コンテンツ１１等の特定情報の制作会社（コンテンツプロバイダ）５４に対して通信鍵代金４９を支払って、通信鍵４４を購入する。
【０２２０】
この特定情報の制作会社（コンテンツプロバイダ）５４はこの通信鍵を利用して映像コンテンツ１１等の特定情報を暗号化し、通信鍵で暗号化された特定情報４５をネットワーク経由で小売店５に対して配信する。
【０２２１】
また小売店５ではこの特定情報を暗号化して記録した情報記憶媒体１０をエンドユーザ６に売ると、その売り上げに応じた複製許可代金４７を特定情報の制作会社（コンテンツプロバイダ）５４に対して支払う。
【０２２２】
特定情報の制作会社（コンテンツプロバイダ）５４から配信された通信鍵で暗号化された特定情報４５は既に配信された通信鍵４４の情報を利用し、特定情報に対する復号器５１内で一度は暗号解読される。
【０２２３】
その直後にタイトル鍵１２で暗号化し、タイトル鍵で暗号化された特定情報４２の形で情報記憶媒体１０内に記録される。
【０２２４】
図１４に示した現行の例では暗号鍵発行会社（ＣＳＳエンティティー）２とディスク複製会社（レプリケータ）４との間で、ディスク鍵１５が転送されるが、この経路は充分にセキュリティ対策が施された環境下で転送される。それに比べ、図１５に示したシステム上でのネットワーク経路は、セキュリティ対策が甘く、この経路途中でディスク鍵１５が外部に漏れる危険性がある。
【０２２５】
そのため、図１５に示した実施例では、プレーンな（非暗号化）状態のディスク鍵１５の代わりに、暗号化されたタイトル鍵１３がネットワークを経由して小売店５へ転送される。
【０２２６】
それを可能にするために、本実施例では暗号鍵発行会社（ＣＳＳエンティティー）２と小売店５との間にエージェント会社８を配置している。
【０２２７】
このエージェント会社８ではタイトル鍵生成部２１によりタイトル毎のタイトル鍵１２を発行する。
【０２２８】
次に充分にセキュリティ対策が施された環境下で暗号鍵発行会社（ＣＳＳエンティティー）２から転送されたディスク鍵１５を用いて暗号化されたタイトル鍵１３をタイトル鍵の暗号器２３内で発生させて小売店５へ向けてネットワーク配信する。
【０２２９】
小売店５内の情報（複製）記録装置５５内ではこのネットワーク配信された暗号化されたタイトル鍵１３を情報記憶媒体１０内にそのまま記録する。
【０２３０】
小売店５では情報記憶媒体１０内に記録したタイトル鍵１３の記録回数に応じてエージェント会社８に対して鍵代金とＤＶＤライセンス料３３を支払う。
【０２３１】
エージェント会社８ではこれにより集まったＤＶＤライセンス料３３をまとめてＤＶＤライセンス会社７に支払う。
【０２３２】
またＤＶＤライセンス会社７はブランク状態２０の情報記憶媒体１０を製造する情報記憶媒体の製造会社９に対してＤＶＤライセンス料３２を徴収する代わりに情報記憶媒体の製造許諾権３１を与える。
【０２３３】
図１５に示したエージェント会社８は図１４に示したディスク複製会社（レプリケータ）４と同様に暗号鍵発行会社（ＣＳＳエンティティ）２からディスク鍵１５と共に暗号化されたディスク鍵群１６を受け取るが、エージェント会社８は小売店に対して暗号化されたディスク鍵群１６をそのままネットワーク配信する。
【０２３４】
このように小売店５に対してネットワーク配信される情報は“通信鍵で暗号化された特定情報４５”と“暗号化されたディスク鍵群１６”、“暗号化されたタイトル鍵”と言う全て暗号化された情報なため、ネットワーク経路途中で情報が漏れたとしても不正コピーを防止することが可能となる。
【０２３５】
図１５ではＭＯＤ方法に使用される情報記憶媒体１０に対する説明を行っているが、本発明はそれに限らずＥＳＴ方法に使用される情報記憶媒体１０に対しても適応が可能である。
【０２３６】
ＥＳＴの場合にはネットワーク経由での配信先がエンドユーザ６となるが、この場合でも “通信鍵で暗号化された特定情報４５”と“暗号化されたディスク鍵群１６”、“暗号化されたタイトル鍵”と言う全て暗号化された情報が通信されるため、不正コピーを防止できる。
【０２３７】
さらにＭＯＤとＥＳＴのいずれの場合でもネットワーク配信されるＣＳＳに関連した情報が“暗号化されたディスク鍵群１６”と“暗号化されたタイトル鍵”と言う情報記憶媒体１０内に記録される情報と一致しているため、情報（複製）記録装置５５内の記録前段階処理が大幅に簡素化されて情報（複製）記録装置５５の低価格化と処理の信頼性向上が実現できる。
【０２３８】
また情報（複製）記録装置５５内のディスク鍵の復号器２８内ではマスタ鍵記憶部２７から転送されるマスタ鍵４０を利用し、エージェント会社８からネットワーク配信された暗号化されたディスク鍵群１６の暗号解読を行う。
【０２３９】
ここで得られたディスク鍵１５を利用してタイトル鍵の復号器２９内では同じくエージェント会社８からネットワーク配信された暗号化されたタイトル鍵１３の暗号解読を行ってタイトル鍵１２を生成し、このタイトル鍵１２を用いて特定情報に対する暗号器４１内で特定情報４３の暗号化を行って情報記憶媒体１０へ記録する。
【０２４０】
本発明の他の実施例（応用例）を図１６に示す。
【０２４１】
図１６においても情報（複製）記録装置６０に対してネットワーク配信されるＣＳＳ関連情報は“暗号化されたディスク鍵群１６”と“暗号化されたタイトル鍵”と言う暗号化された情報記憶媒体１０に記録される情報であることは、図１５に示した実施例と一致している。
【０２４２】
しかし図１６の応用例では映像コンテンツ１１をネットワーク配信される代わりに通常のＤＶＤ−Ｖｉｄｅｏディスク３を配送３６していることが異なる。
【０２４３】
図１６に示した実施例では情報（複製）記録装置６０内部でこのＤＶＤ−Ｖｉｄｅｏディスク３内に記録されている暗号化された映像コンテンツ１４の暗号解読（復号化）を行うと共にこの暗号解読後の映像コンテンツ１４を再度暗号化して本発明の情報記憶媒体１０に記録する。
【０２４４】
以上説明したように、この発明の情報記憶媒体によれば、記録マークに対する記録光と再生光とで使用波長を変え、さらに記録光に対してトラックずれ検出信号とランドプリピット検出信号が得られると同時に再生光に対してはプリグルーブやプリピットからの影響がほとんど出ないようなプリグルーブ形状と寸法およびランドプリピット形状と寸法に設定することで、より一層の記録処理と再生処理の安定化を図れる。
【０２４５】
なお、この発明は上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０２４６】
また、上述の説明は個々の実施例それぞれについて行ったが、複数の実施例を適宜組み合わせてもよい。
【符号の説明】
【０２４７】
１０１…透明基板、１０２…光反射層、１０３…記録層、１０５…記録マーク、１０７…プリグルーブ、１０８…ランドプリピット、１０９…ランド、２６２…識別情報、２６４…識別情報２６２毎に固有に設定できる情報内容。
【図１】
2011138619.tif 000003
【図２】
2011138619.tif 000004
【図３】
2011138619.tif 000005
【図４】
2011138619.tif 000006
【図５】
2011138619.tif 000007
【図６】
2011138619.tif 000008
【図７】
2011138619.tif 000009
【図８】
2011138619.tif 000010
【図９】
2011138619.tif 000011
【図１０】
2011138619.tif 000012
【図１１】
2011138619.tif 000013
【図１２】
2011138619.tif 000014
【図１３】
2011138619.tif 000015
【図１４】
2011138619.tif 000016
【図１５】
2011138619.tif 000017
【図１６】
2011138619.tif 000018